(57)【要約】【課題】十分な機械的強度を備え、他の釣具を安定して連結することができる安価な釣具アタッチメントの提供。【解決手段】この釣具アタッチメント１３は、鮎釣用ベルトに好適に採用される。釣具アタッチメント１３は、アタッチメント本体１８と、十字状の固定ベルト１９とを有する。アタッチメント本体１８は、一対のベルト保持部４１、４２と、釣具係止部４３とを有する。アタッチメント本体１８は、単一のステンレス線材が曲げ加工されることにより一体的に形成されている。アタッチメント本体１８の貫通孔４４に布ベルト５１が挿通されている。この布ベルト５１は、ベルト保持部４１、４２に巻き付いて、アタッチメント本体１８の台座６３として機能する。【選択図】図２
2018082642.tif 000002
【特許請求の範囲】
【請求項１】
重なり合い且つ中央部で固着された一対の布ベルトを有する固定ベルトと、
一方の布ベルトが挿通される係合孔が設けられ、当該係合孔に挿通された一方の布ベルトが巻き重ねられることにより上記固定ベルトを保持するベルト保持部と、
上記固定ベルトから突出するように上記ベルト保持部に設けられた釣具係止部とを備えた釣具アタッチメント。
【請求項２】
上記一対の布ベルトは、互いに十字状に交差している請求項１に記載の釣具アタッチメント。
【請求項３】
上記一対の布ベルトは、平行に重ね合わされている請求項１に記載の釣具アタッチメント。
【請求項４】
上記双方の布ベルトは、それぞれ、互いの両端部を着脱させる面ファスナを備えている請求項１に記載の釣具アタッチメント。
【請求項５】
上記ベルト保持部及び釣具係止部は、金属線材からなり、
上記ベルト保持部は、所定の間隔をあけて上記一方の布ベルトの長手方向に沿って対向配置された一対のリング部材を有し、
上記釣具係止部は、上記一対のリング部材間に上記一方の布ベルトの長手方向に沿って架け渡された梁材を有する請求項１又は４に記載の釣具アタッチメント。
【請求項６】
上記ベルト保持部及び釣具係止部は、金属線材からなり、
上記ベルト保持部は、所定の間隔をあけて上記一方の布ベルトの長手方向に沿って対向配置された一対のリング部材を有し、
上記釣具係止部は、上記一対のリング部材間に上記一方の布ベルトの長手方向に沿って架け渡された梁材及び当該梁材に係合された環状連結材を有する請求項１又は４に記載の釣具アタッチメント。
【請求項７】
上記一対のリング部材及び梁材は、単一の金属線材により成形されている請求項５に記載の釣具アタッチメント。
【請求項８】
上記一対のリング部材、梁材及び環状連結材は、単一の金属線材により成形されている請求項６に記載の釣具アタッチメント。
【請求項９】
釣人の身体に巻き付けられるメインベルトと、
当該メインベルトに上記固定ベルトが係合することによって取り付けられた請求項１から８のいずれかに記載の釣具アタッチメントとを備えた鮎釣用ベルト。
【発明の詳細な説明】
【技術分野】
【０００１】
この発明は、釣りの際に使用される様々な道具を互いに連結するアタッチメントに関するものである。
【背景技術】
【０００２】
ターゲットとなる魚に応じて釣りには様々なジャンルがあり、特定の魚をターゲットとした多くの釣具が開発され商品化されている。釣行に際しては多くの釣具が必要となる。たとえば、ロッドや釣用リールのほかに、ライフジャケット、ロッドケース、フィッシュバッカン、ライト（電灯）、クーラー等々であり、特に鮎釣りの場合は鮎釣用ベルトや曳舟等、釣人が携行しなければならない道具は多岐にわたる。
【０００３】
どのようなジャンルの釣りであっても、釣人は、快適な釣りをするために複数の釣具を工夫して携行しなければならない。すなわち、釣具類はコンパクトにまとめられることが大切であるし、特に実釣において釣人が常時身に付ける道具は、システマチックに使い易い状態で装備されなければならない。複数の釣具をまとめたり連結するために、従来、たとえばＤ環と称されるアタッチメントが釣具に装着されていた。具体的には、ライフジャケットの身頃に樹脂製のＤ環が装着されており（たとえば、非特許文献１参照）、このＤ環に他の道具（たとえば、ライト、尻手ロープ等）が連結されるようになっている。
【先行技術文献】
【非特許文献】
【０００４】
【非特許文献１】２０１６シマノフィッシングタックルカタログ  ｐ２７５
【発明の概要】
【発明が解決しようとする課題】
【０００５】
ところが、このようなＤ環は、他の釣具を単に連結することはできても、安定して装着することが困難である。従来のＤ環は、取付ベルトによって吊り下げられているだけであるので、たとえば、釣人の手元を照らすライトが連結されてもふらふらと揺れてしまい、釣人にとって快適に使用することができない。Ｄ環が不安定では、当該Ｄ環に他の釣具を着脱する作業も容易ではない。仮に、上記取付ベルトが排され、たとえばライフジャケットに設けられたベルトにＤ管が直接に取り付けられた場合は、Ｄ管の安定性は向上する。しかし、当該ライフジャケットに連結される道具が釣人の身体と強く接触し、釣人にとって違和感が生じる。
【０００６】
加えて、Ｄ環に重量物（たとえば、ランディングギャフ等）が連結される場合も想定され、したがって、アタッチメントとしてのＤ環に十分な機械的強度が要求される。その一方で、商品として完成させるためにアタッチメントが安価に構成されなければならないという要請もある。
【０００７】
本発明はかかる背景のもとになされたものであって、その主目的は、十分な機械的強度を備え、他の釣具を安定して連結することができる安価で使い易い釣具アタッチメントを提供することである。
【課題を解決するための手段】
【０００８】
(1) 本発明に係る釣具アタッチメントは、重なり合い且つ中央部で固着された一対の布ベルトを有する固定ベルトと、一方の布ベルトが挿通される係合孔が設けられ、当該係合孔に挿通された一方の布ベルトが巻き重ねられることにより上記固定ベルトを保持するベルト保持部と、上記固定ベルトから突出するように上記ベルト保持部に設けられた釣具係止部とを備えたことを特徴とする。
【０００９】
この構成によれば、固定ベルトのうち一方の布ベルトがベルト保持部の係合孔に挿通されると、当該一方の布ベルトの両端部が上記係合孔から延び出た状態となり、当該一方の布ベルトが巻き重ねられる。これにより、当該固定ベルトは、ベルト保持部に保持されることになる。
【００１０】
この状態で他方の布ベルトは、一方の布ベルトと重なり合いつつ多くの釣り道具に巻き付くことができる。たとえば、他方の布ベルトは、ライフジャケットの身頃に設けられたアンカーベルトにも容易に取り付けられる。具体的には、上記一方の布ベルトが上記ベルト保持部に巻き重ねられることによって、上記ベルト保持部に台座を形成する。この台座が上記アンカーベルトとベルト保持部との間に介在する。その状態で、上記他方の布ベルトは、上記一方の布ベルトにより形成された台座と上記アンカーベルトとを抱き合わせるように締め付ける。このように、一方の布ベルトがベルト保持部の台座として機能するから、当該釣具アタッチメントは、固定ベルトによって他の釣具に対してがたつくことなく、確実に固定される。
【００１１】
(2) 上記一対の布ベルトは、互いに十字状に交差していてもよい。
【００１２】
この構成では、固定ベルトのうち一方の布ベルトがベルト保持部の係合孔に挿通され、前述のように巻き重ねられる。これにより、十字状を呈する固定ベルトは、釣具係止部と連結される。一方及び他方の布ベルトが十字状に交差しているから、固定ベルトは多くの釣り道具に巻き付くようにして容易に取り付けられる。
【００１３】
(3) 上記一対の布ベルトは、平行に重ね合わされていてもよい。
【００１４】
この構成では、固定ベルトのうち一方の布ベルトがベルト保持部の係合孔に挿通され、前述のように巻き重ねられる。これにより、固定ベルトは、釣具係止部と連結される。一方及び他方の布ベルトが平行に重ね合わされているから、固定ベルトの構造がよりコンパクトになる。
【００１５】
(4) 上記双方の布ベルトは、それぞれ、互いの両端部を着脱させる面ファスナを備えていてもよい。
【００１６】
この構成では、上記一方の布ベルトは、面ファスナを介して簡単且つ確実に上記ベルト保持部に巻き付けられる。また、上記他方の布ベルトは、面ファスナを介して簡単且つ確実に他の釣具に巻き付けられる。
【００１７】
(5) 上記ベルト保持部及び釣具係止部は、金属線材から構成されていてもよい。上記ベルト保持部は、所定の間隔をあけて上記一方の布ベルトの長手方向に沿って対向配置された一対のリング部材を有する。上記釣具係止部は、上記一対のリング部材間に上記一方の布ベルトの長手方向に沿って架け渡された梁材を有する。
【００１８】
この構成では、上記ベルト保持部が金属線材によりリング状に形成されるから、当該ベルト保持部の剛性及び機械的強度がきわめて高くなる。また、釣具係止部も金属線材からなる梁材により形成されるから、当該釣具保持部の剛性及び機械的強度がきわめて高くなる。
【００１９】
(6) 上記ベルト保持部及び釣具係止部は、金属線材から構成されていてもよい。上記ベルト保持部は、所定の間隔をあけて上記一方の布ベルトの長手方向に沿って対向配置された一対のリング部材を有する。上記釣具係止部は、上記一対のリング部材間に上記一方の布ベルトの長手方向に沿って架け渡された梁材及び当該梁材に係合された環状連結材を有する。
【００２０】
この構成では、上記ベルト保持部が金属線材によりリング状に形成されるから、当該ベルト保持部の剛性及び機械的強度がきわめて高くなる。また、釣具係止部も金属線材からなる梁材及び環状連結材により形成されるから、当該釣具保持部の剛性及び機械的強度がなお一層高くなる。
【００２１】
(7) 上記一対のリング部材及び梁材は、単一の金属線材により成形されているのが好ましい。
【００２２】
この構成では、上記ベルト保持部及び釣具係止部が単一の金属線材が屈曲されることにより単一の部品として簡単に成形される。したがって、上記ベルト保持部及び釣具係止部の剛性がより高められ、しかも安価に構成される。
【００２３】
(8) 上記一対のリング部材、梁材及び環状連結材は、単一の金属線材により成形されているのが好ましい。
【００２４】
この構成では、上記ベルト保持部及び釣具係止部が単一の金属線材が屈曲されることにより単一の部品として簡単に成形される。したがって、上記ベルト保持部及び釣具係止部の剛性がより高められ、しかも安価に構成される。
【００２５】
(9) 釣人の身体に巻き付けられるメインベルトと、当該メインベルトに上記固定ベルトが係合することによって取り付けられた釣具アタッチメントとを備えた鮎釣用ベルトが構成され得る。
【００２６】
この鮎釣用ベルトでは、友釣りの実釣において、釣具係止部に曳舟等を連結することができる。前述のように、当該釣具係止部は固定ベルトを介してメインベルトに巻き付けられるので、当該釣具アタッチメンは、がたつくことなく確実に取り付けられる。しかも、当該釣具アタッチメントの機械的強度は高くなり、上記メインベルトに対して着脱が容易である。
【発明の効果】
【００２７】
この発明によれば、上記一方の布ベルトが台座を構成することによって、釣具係止部が安定して他の釣り道具に固定され得る。これにより、釣具係止具が十分な剛性と機械的強度を発揮することができ、他の釣具を連結する作業も容易になる。しかも、固定ベルトが布ベルトからなるので、製造コストの上昇も抑えられる。
【図面の簡単な説明】
【００２８】
【図１】図１は、本発明の一実施形態に係る鮎釣用ベルト１０の外観斜視図である。
【図２】図２は、本発明の一実施形態に係る釣具アタッチメント１３の斜視図である。
【図３】図３は、釣具アタッチメント１３の分解斜視図である。
【図４】図４は、釣具アタッチメント１３の分解斜視図である。
【図５】図５は、本発明の一実施形態の第１の変形例に係る釣具アタッチメントの斜視図である。
【図６】図６は、本発明の一実施形態の第２の変形例に係る釣具アタッチメントの斜視図である。
【図７】図７は、本発明の一実施形態の第３の変形例に係る釣具アタッチメントの斜視図である。
【図８】図８は、本発明の一実施形態の第４の変形例に係る釣具アタッチメントの分解斜視図である。
【図９】図９は、本発明の一実施形態の第４の変形例に係る釣具アタッチメントの斜視図である。
【図１０】図１０は、第４の本変形例のさらなる変形例に係る釣具アタッチメントの斜視図である。
【発明を実施するための形態】
【００２９】
以下、本発明の好ましい実施形態が、適宜図面が参照されつつ説明される。なお、本実施の形態は、本発明に係る釣具アタッチメント及び鮎釣用ベルトの一態様にすぎず、本発明の要旨を変更しない範囲で実施態様が変更されてもよいことは言うまでもない。
【００３０】
＜鮎釣用ベルト及び釣具アタッチメントの構成＞
【００３１】
図１は、本発明の一実施形態に係る鮎釣用ベルト１０の外観斜視図である。
【００３２】
この鮎釣用ベルト１０は、鮎釣（友釣り）の実釣において、釣人が腰に装着するものであり、さまざまな釣具が連結されるようになっている。鮎釣用ベルト１０は、釣人の腰に巻き付けられるメインベルト１１と、腰当パッド１２と、釣具アタッチメント１３と、タモの柄ホルダ６５とを備えている。
【００３３】
メインベルト１１は、幅寸法が３０ｍｍ〜４０ｍｍ、厚さ寸法が２ｍｍ程度であり、釣人の腰に巻き回すために十分な長さを備えている。メインベルト１１は、本実施形態ではポリプロピレン（ＰＰ）からなり、安価であり且つ引張強度も十分である。なお、メインベルト１１の外形寸法は特に限定されるものでなく、材質もＰＰ以外の樹脂が採用されてもよい。メインベルト１１にバックル１４及びＨ管アジャスタ１５が設けられている。バックル１４及びＨ管アジャスタ１５は汎用品である。バックル１４は、雄型１６及び雌型１７を有し、それぞれメインベルト１１の一端部及び他端に設けられている。Ｈ管アジャスタ１５は、メインベルト１１の一端部に取り付けれており、メインベルト１１の一端側部分がＨ管アジャスタ１５に掛け回されている。メインベルト１１の長さは、Ｈ管アジャスタ１５を介して釣人の腰周りのサイズに合わせて調整される。バックル１４の雄型１６及び雌型１７が嵌合することにより、釣人の腰に巻かれたメインベルト１１が環状に形成され、釣人の腰に巻き回される。
【００３４】
腰当パッド１２は、メインベルト１１に装着されている。腰当パッド１２の外形形状は、同図が示すように五角形状を呈し、釣人の腰に沿って当接するように成形されている。腰当パッド１２の内部構造は図示されていないが、芯材（典型的にはポリエチレン：ＰＥの板材）と、この芯材を覆う緩衝材と、この緩衝材を囲繞し、外周面を形成する被覆シート（典型的にはポリ塩化ビニル：ＰＶＣ）とを備えている。本実施形態では、腰当パッド１２の見栄えを良くするために、縁部にパイピング処理が施されている。同図が示すように、腰当パッド１２に貫通孔２０が設けられている。メインベルト１１は、この貫通孔２０に挿通されており、これにより、腰当パッド１２は、メインベルト１１に支持されつつ長手方向にスライド自在となっている。
【００３５】
図２は、本実施形態に係る釣具アタッチメント１３の斜視図である。
【００３６】
同図は、上記メインベルト１１に釣具アタッチメント１３が装着されている状態を示している。釣具アタッチメント１３は、アタッチメント本体１８と、固定ベルト１９とを備えている。
【００３７】
図３及び図４は、釣具アタッチメント１３の分解斜視図である。同図において、矢印２１〜矢印２６は、それぞれ、前向き、後向き、上向き、下向き、左向き、右向きを示している。
【００３８】
アタッチメント本体１８は、金属線材（典型的にはφ３ｍｍ程度のステンレス鋼線）からなる。本実施形態では、単一の金属線材が曲げ加工を施されることにより、アタッチメント本体１８が成形されている。この曲げ加工の方法は既知である。同図が示すように、アタッチメント本体１８を構成する金属線材は、その一端２７側の所定位置２８で後向き２２に屈曲され、所定位置２９で下向き２４に屈曲され、所定位置３０で前向き２１に屈曲され、所定位置３１で上向き２３に屈曲され、所定位置３２で前向き２１に屈曲され、所定位置３３で左向き２５に屈曲される。この金属線材は、所定位置３３から左向き２５に所定長さＬだけ真直に延び、所定位置３４で後向き２２に屈曲される。当該金属線材は、所定位置３５ないし所定位置３９でそれぞれ所定の向きに屈曲された後に切断され、他端４０が形成される。つまり、アタッチメント本体１８は、同図が示すように左右対称形状に成形される。
【００３９】
このように屈曲形成されたアタッチメント本体１８は、第１ベルト保持部４１及び第２ベルト保持部４２並びにこれらの間に配置された釣具係止部４３とを有する。第１ベルト保持部４１は、上記金属線材の一端２７から上記所定位置２８ないし所定位置３２までの部分により構成される。釣具係止部４３は、上記金属線材のうち上記所定位置３２ないし所定位置３５までの部分により構成される。第２ベルト保持部４２は、上記金属線材のうち上記所定位置３５ないし所定位置３９までの部分により構成される。すなわち、第１ベルト保持部４１及び第２ベルト保持部４２は矩形リングである。これらは、それぞれ、中央に貫通孔４４（特許請求の範囲に記載された「係合孔」に相当）が形成されており、一対の貫通孔４４が左右方向に沿って対向している。釣具係止部４３は、同図が示すようにＣ字状に形成された梁材であり、第１ベルト保持部４１と第２ベルト保持部４２との間に左右方向に沿って架け渡されている。
【００４０】
前述のように第１及び第２ベルト保持部４１、４２並びに釣具係止部４３は左右対称に配置されており、上記釣具係止部４３を構成する梁材の左右方向の寸法はＬである。したがって、上記一対の貫通孔４４も所定長さＬを隔てて互いに対向している。この所定距離Ｌは特に限定されるものでないが、本実施形態では３５ｍｍ程度に設定されている。また、貫通孔４４の上下方向及び前後方向の寸法は、上記金属線材の曲げ加工上の制限（いわゆる曲げＲの制限）を受けるが、特に限定されるものではなく、本実施形態では、それぞれ、４５ｍｍ、１５ｍｍ程度に設定されている。なお、本実施形態では、第１及び第２ベルト保持部４１、４２並びに釣具係止部４３は左右対称に配置されているが、後述のように固定ベルト１９が貫通孔４４に挿通され得るものであるならば、左右対称に配置されていなくてもよい。
【００４１】
固定ベルト１９は、布ベルト５１（特許請求の範囲に記載された「一方の布ベルト」に相当）及び布ベルト５２（特許請求の範囲に記載された「他方の布ベルト」に相当）を有する。本実施形態では、布ベルト５１、５２はポリプロピレン（ＰＰ）からなり、その外形形状は、同図が示すように細長矩形である。ただし、布ベルト５１、５２を構成する材料は、ＰＰに限定されるものではない。本実施形態では、布ベルト５１の幅寸法Ｗは３８ｍｍ、長さ寸法Ｓは１３０ｍｍ、厚み寸法ｔは、２ｍｍに設定されている。布ベルト５２も同様である。布ベルト５１、５２の剛性及び引張強度が確保されるために厚み寸法ｔは１ｍｍ程度以上が必要であるが、幅寸法Ｗ及び長さ寸法Ｓは、特に限定されるものではない。
【００４２】
布ベルト５１及び布ベルト５２は、同図が示すように十字状に交差して（本実施形態では直交）互いに縫い合わされている。すなわち、固定ベルト１９は十字状を呈し、布ベルト５１が左右方向に配置され、布ベルト５２は上下方向に配置されている（図３参照）。布ベルト５２は、布ベルト５１の後向き２２側に互いの中心同士が一致するように重ね合わされている。図３及び図４が示すように、布ベルト５１の両端部５３、５４に面ファスナが設けられている。具体的には、布ベルト５１の一端部５３の後面にフックテープ５５が設けられ、他端部５４の前面にループテープ５６が設けられている。同様に、布ベルト５２の一端部５７の前面にフックテープ５８が設けられ、他端部５９の後面にループテープ６０が設けられている。
【００４３】
布ベルト５１は、アタッチメント本体１８に係合している。具体的には、布ベルト５１の両端部５３、５４がそれぞれ第２ベルト保持部４２、第１ベルト保持部４１に係合している。このとき、布ベルト５１の中央部６１がアタッチメント本体１８の中央に位置し（図２参照）、布ベルト５１の一端部５３及び他端部５４は、それぞれ、第１ベルト保持部４１及び第２ベルト保持部４２の貫通孔４４に、内側から外側へ袖を通すように挿通されている。布ベルト５１の両端部５３、５４は、それぞれ、第２ベルト保持部４２及び第１ベルト保持部４１に巻き付けられ、互いに重ね合わせられる（図２及び図４参照）。上記両端部５３、５４に上記フックテープ５５及びループテープ５６が設けられているから、両者は確実に接着され、固定ベルト１９がアタッチメント本体１８に固定される。
【００４４】
布ベルト５２は、布ベルト５１に縫い付けられている。布ベルト５２の中央部６２（図３参照）は、布ベルト５１の中央部６１と共にアタッチメント本体１８の中央に位置し、布ベルト５２は、アタッチメント本体１８（具体的には、第１ベルト保持部４１と第２ベルト保持部４２との間）を上下方向に挿通した状態となる。この状態で、布ベルト５２は、上下方向に沿って湾曲自在である。
【００４５】
図２が示すように、本実施形態では、上記釣具アタッチメント１３は、鮎釣用ベルト１０の上記メインベルト１１に装着されている。具体的には、上記布ベルト５２が上記メインベルト１１に巻き付けられている。前述のように、メインベルト１１は、釣人の腰に巻き付けられ、略水平に配置される。図２及び図４が示すように、上記布ベルト５２は、左右方向に沿って略水平に配置されたメインベルト１１に対して、上下方向に沿って巻き付けられる。すなわち、布ベルト５２の一端部５７がメインベルト１１に対して上側から下向き２４に巻き掛けられると共に、布ベルト５２の他端部５９がメインベルト１１に対して下側からから上向き２３に巻き掛けられる。両端部５７、５９が互いに重ね合わせられると、当該両端部５７、５９に上記フックテープ５８及びループテープ６０が設けられているから、両者が確実に固着する。
【００４６】
＜作用効果＞
【００４７】
前述のように、固定ベルト１９は、布ベルト５１が第１及び第２ベルト保持部４１、４２に巻き付くと共に布ベルト５２が各ベルト保持部４１、４２と干渉することなく配置される。これにより、布ベルト５２は、鮎釣用ベルト１０のメインベルト１１に容易に巻き付くことができる。なお、布ベルト５２は、上記メインベルト１１のほかにライフジャケットの身頃に設けられたアンカーベルトや、他の釣り道具（ロッドケースに設けられた肩掛けベルト等）にも容易に取り付けられる。
【００４８】
しかも、布ベルト５１が各ベルト保持部４１、４２に巻かれることによって、布ベルト５１は、上記メインベルト１１に取り付けられるための台座６３（図２参照）を形成する。この台座６３が上記メインベルト１１と各ベルト保持部４１、４２との間に介在されることになるので、布ベルト５２は、布ベルト５１とメインベルト１１とを抱き合わせるように締め付けることができる。このように、固定ベルト１９が十字状に形成され、布ベルト５１が上記台座６３として機能するから、釣具アタッチメント１３は、メインベルト１１に対してがたつくことなく、確実に固定される。
【００４９】
その結果、釣具アタッチメント１３が十分な剛性と機械的強度を発揮することができるので、釣人は、曳舟その他の釣具を簡単に連結することができる。しかも、固定ベルト１９が布ベルト５１、５２からなるので、製造コストの上昇も抑えられるという利点もある。
【００５０】
本実施形態では、布ベルト５１、５２が互いに十字状に交差しているから、布ベルト５２が多くの釣り道具に容易に巻き付くことができるという利点がある。また、布ベルト５１、５２は、フックテープ５５、５７及びループテープ５６、６０を備えているから、ベルト保持部４１、４２に着脱する作業が非常に簡単であるし、確実にベルト保持部４１、４２に固定される。
【００５１】
本実施形態では、ベルト保持部４１、４２及び釣具係止部４３は金属線材からなり、ベルト保持部４１、４２が矩形リング状に形成され、釣具係止部４３も簡単な梁材として構成される。したがって、ベルト保持部４１、４２及び釣具係止部４３の剛性及び機械的強度がきわめて高くなり、たとえば、釣具係止部４３に複数の曳舟が連結され得る。
【００５２】
特に本実施形態は、単一の金属線材に曲げ加工が施されることにより、ベルト保持部４１、４２及び釣具係止部４３が左右対称に形成されている。したがって、ベルト保持部４１、４２及び釣具係止部４３の剛性がより高められ、しかも安価に構成されるという利点がある。もっとも、ベルト保持部４１、４２及び釣具係止部４３は別部材として構成され、たとえば溶接等により組み立てられていてもよい。
【００５３】
＜第１の変形例＞
【００５４】
図５は、本実施形態の第１の変形例に係る釣具アタッチメントの斜視図である。同図は、上記釣具アタッチメント１３に設けられた化粧板６４を示している。
【００５５】
同図が示すように、釣具アタッチメント１３は、化粧板６４を備えていてもよい。この化粧板６４は、樹脂又は金属からなる薄肉板である。化粧板６４は、第１ベルト保持部４１と第２ベルト保持部４２との間に架け渡されている。この変形例では、化粧板６４の両端部（左右方向の端部）は、湾曲して折り返されており、第１ベルト保持部４１及び第２ベルト保持部４２は、化粧板６４によって連結され、補強されている。なお、この化粧板６４は、たとえば商品名やロゴが付されてもよい。もっとも、この化粧板６４は、省略されてもよい。
【００５６】
＜第２の変形例＞
【００５７】
図６は、本実施形態の第２の変形例に係る釣具アタッチメント７０の斜視図である。
【００５８】
本変形例に係る釣具アタッチメント７０が上記釣具アタッチメント１３と異なるところは、釣具アタッチメント１３に設けられた固定ベルト１９が十字状に形成されているのに対し、釣具アタッチメント７０に設けられた固定ベルト７１は、布ベルト５１、５２が互いに平行に重ね合わされている点である。なお、その他の構成については、釣具アタッチメント１３と同様である。
【００５９】
すなわち、布ベルト５１の前側に布ベルト５２が配置されており、同図において左右方向に延びた布ベルト５１に対して同方向に延びる布ベルト５２が平行に重なり合うように位置している。各布ベルト５１、５２の中央部６１、６２は、強固に縫い合わされている。
【００６０】
本変形例では、布ベルト５１が第１及び第２ベルト保持部４１、４２に巻き付き、その状態で上記台座６３（図２参照）が形成される。前述のように、この台座６３が鮎釣用ベルト１０のメインベルト１１と各ベルト保持部４１、４２との間に介在されることになるので、布ベルト５２は、布ベルト５１とメインベルト１１とを抱き合わせるように締め付けることができる。したがって、釣具アタッチメント７０は、上記メインベルト１１に対してがたつくことなく、確実に固定される。加えて、布ベルト５１、５２が平行に重ね合わされているから、固定ベルト７１の構造がよりコンパクトになるという利点がある。
【００６１】
＜第３の変形例＞
【００６２】
図７は、本実施形態の第３の変形例に係る釣具アタッチメント７０の斜視図である。
【００６３】
本変形例に係る釣具アタッチメント７５が上記釣具アタッチメント１３と異なるところは、アタッチメント本体７６の形状が上記アタッチメント本体１８の形状と異なっている点、及び固定ベルト１９に代えて上記第２の変形例に係る固定ベルト７１が採用されている点である。なお、固定ベルト７１についての説明は省略される。
【００６４】
アタッチメント本体７６は、金属線材（典型的にはφ３ｍｍ程度のステンレス鋼線）からなる。本変形例では、単一の金属線材が曲げ加工を施されることにより、アタッチメント本体７６が成形されている。この曲げ加工の方法は既知である。同図が示すように、アタッチメント本体７６を構成する金属線材は、その一端７７から上向き２３に延び、所定位置７８で後向き２２に屈曲され、所定位置７９で下向き２４に屈曲され、所定位置８０で前向き２１に屈曲され、所定位置８１で上向き２３に屈曲されている。この金属線材は、所定位置８２で左向き２５に屈曲され、所定位置８３で上向き２３に屈曲される。この金属線材は、所定位置８３から上向き２３に上記所定位置７８と同じ高さまで延びて、所定位置８４で前向き２１に屈曲され、所定位置８５で下向き２４に屈曲される。この金属線材は、所定位置８５から下向き２４に所定長さＬだけ真直に延び、所定位置８６で後向き２２に屈曲される。この距離Ｌは、上記所定位置７９と所定位置８０との距離に等しい。この金属線材は、所定位置８６から後向き２２に延びて所定位置８７で上向き２３に屈曲され、所定位置８８で左向き２５に屈曲される。これにより、当該金属線材は、所定位置８３及び所定位置８８で互いにクロスし、係合する。この金属線材は、所定位置８９で上向き２３に屈曲され、所定位置９０で後向き２２に屈曲され、所定位置９１で下向き２４に屈曲され、所定位置９２で前向き２１に屈曲され、所定位置９３で上向き２３に屈曲されている。この金属線材の他端９４は、上記所定位置８９の近傍に位置する。
【００６５】
このように屈曲形成されたアタッチメント本体７６は、上記実施形態に係るアタッチメント本体１８と同様に、第１ベルト保持部４１及び第２ベルト保持部４２並びにこれらの間に配置された釣具係止部４３を形成する。第１ベルト保持部４１は、上記金属線材の一端７７から上記所定位置７８ないし所定位置８２までの部分により構成される。釣具係止部４３は、上記金属線材のうち上記所定位置８２ないし所定位置８９までの部分により構成される。第２ベルト保持部４２は、上記金属線材のうち上記所定位置８９ないし所定位置９３及び当該所定位置９３から他端９４までの部分により構成される。すなわち、第１ベルト保持部４１及び第２ベルト保持部４２は矩形リングである。これらは、それぞれ、中央に貫通孔４４（特許請求の範囲に記載された「係合孔」に相当）が形成されており、一対の貫通孔４４が左右方向に沿って対向している。上記所定位置８２から所定位置８３までの部分及び上記所定位置８８から所定位置８９までの部分は、当該金属線材が前述のように所定位置８３及び所定位置８８においてクロスすることによって一つの梁材９６として形成され、第１ベルト保持部４１と第２ベルト保持部４２との間に左右方向に沿って架け渡されている。上記所定位置８３から所定位置８８までの部分は環状連結材９５を形成し、同図が示すように、上記梁材９６と係合するように一体的に形成されている。つまり、釣具係止部４３は、上記梁材９６及び環状連結材９５を有する。本変形例では、環状連結材９５は上下方向に延び、その寸法はＬである。この寸法Ｌは特に限定されるものでないが、本実施形態では３５ｍｍ程度に設定されている。なお、本変形例では、環状連結材９５は上下方向に延びているが、同図においてアタッチメント本体７６及び固定ベルト７１が前後方向を中心にして９０°（ｄｅｇｒｅｅ）だけ回転された状態で使用されてもよいことは勿論である。すなわち、環状連結材９５が左右方向に延びるような姿勢でアタッチメント本体７６及び固定ベルト７１が使用されてもよい。また、上記実施形態と同様に、上記金属線材の曲げ加工上の制限（いわゆる曲げＲの制限）を受けるが、上記貫通孔４４の上下方向及び前後方向の寸法等は、特に限定されるものではない。
【００６６】
本変形例では、釣具係止部４３は、上記梁材９６及び環状連結材９５を有するので、釣具保持部４３の設計において、その剛性及び機械強度が非常に高くなるという利点がある。
【００６７】
＜第４の変形例＞
【００６８】
図８は、本実施形態の第４の変形例に係る釣具アタッチメント１００の分解斜視図、図９は、使用状態での斜視図である。
【００６９】
本変形例に係る釣具アタッチメント１００が上記釣具アタッチメント１３と異なるところは、アタッチメント本体１０１の形状が上記アタッチメント本体１８の形状と異なっている点、及び固定ベルト１９に代えて上記第２の変形例に係る固定ベルト７１が採用されている点である。なお、固定ベルト７１についての説明は省略される。
【００７０】
アタッチメント本体１０１は、金属線材（典型的にはφ３ｍｍ程度のステンレス鋼線）からなる。本変形例では、単一の金属線材が曲げ加工を施されることにより、アタッチメント本体１０１が成形されている。この曲げ加工の方法は既知である。図８が示すように、アタッチメント本体１０１を構成する金属線材は、その一端１０２から右向き２６に延び、所定位置１０３で前向き２１に屈曲され、所定位置１０４で左向き２５に屈曲され、所定位置１０５で後向き２２に屈曲されている。この金属線材は、所定位置１０６で上向き２３に屈曲され、所定位置１０７で右向き２６に屈曲され、所定位置１０８で下向き２４に屈曲され、所定位置１０９で左向き２５に屈曲され、所定位置１１０で上向き２３に屈曲されている。この金属線材は、所定位置１１０から上向き２３に上記一端１０２の近傍まで延び、所定位置１１１で左向き２５に折り返されて他端１１２を形成している。この折り返された部分は、上記所定位置１０６と係合している。
【００７１】
このように屈曲形成されたアタッチメント本体１０１は、第１ベルト保持部１１３及び第２ベルト保持部１１４並びにこれらの間に配置された釣具係止部１１５とを有する。第１ベルト保持部１１３は、上記金属線材の一端１０２から上記所定位置１０３までの部分、上記他端１１２から上記所定位置１１１までの部分、上記所定位置１０６から所定位置１０８までの部分及び当該所定位置１０８から上記所定位置１０３と交差するまでの部分により構成される。釣具係止部１１５は、上記金属線材のうち上記所定位置１０３から所定位置１０４、１０５、１０６までの部分により構成される。第２ベルト保持部４２は、上記金属線材の一端１０２から上記所定位置１０３までの部分、上記他端１１２から上記所定位置１１１までの部分、上記所定位置１１１から所定位置１１０までの部分及び当該所定位置１１０から上記所定位置１０９までの部分及び当該所定位置１０９から上記所定位置１０３と交差するまでの部分により構成される。すなわち、第１ベルト保持部１１３及び第２ベルト保持部１１４は矩形リング状に形成されている。これらは上下方向に沿って並設されており、それぞれ、中央に貫通孔４４（特許請求の範囲に記載された「係合孔」に相当）が形成されている。釣具係止部１１５は、同図が示すようにＣ字状に形成され且つ前側２１に突出した梁材であり、第１ベルト保持部１１３と第２ベルト保持部１１４との間に左右方向に沿って架け渡されている。
【００７２】
上記釣具係止部１１５を構成する梁材の左右方向の寸法はＬである。この寸法Ｌは特に限定されるものでないが、本実施形態では３５ｍｍ程度に設定されている。また、貫通孔４４の上下方向及び左右方向の寸法は、上記金属線材の曲げ加工上の制限（いわゆる曲げＲの制限）を受けるが、特に限定されるものではなく、本変形例では、それぞれ、１５ｍｍ、４５ｍｍ程度に設定されている。
【００７３】
本変形例では、布ベルト７１が第１及び第２ベルト保持部１１３、１１４に巻き付き、その状態で上記実施形態と同様に台座６３（図９参照）が形成される。前述のように、この台座６３が鮎釣用ベルト１０のメインベルト１１とアタッチメント本体１０１との間に介在されることになるので、布ベルト５２は、布ベルト５１とメインベルト１１とを抱き合わせるように締め付けることができる。したがって、釣具アタッチメント１００は、上記メインベルト１１に対してがたつくことなく、確実に固定される。加えて、布ベルト５１、５２が平行に重ね合わされているから、固定ベルト７１の構造がよりコンパクトになるという利点がある。
【００７４】
図１０は、本変形例において、固定ベルト７１に代えて上記実施形態に係る固定ベルト５１を採用した場合の釣具アタッチメント１００の斜視図である。
【００７５】
この変形例では、固定ベルト５１の布ベルト５２の両端縁から所定長さの切欠部１１６が形成されている。これにより、釣具係止部１１５と布ベルト５２とが干渉するがなく、したがって、釣具アタッチメント１００が確実にメインベルト１１に取り付けられる。
【符号の説明】
【００７６】
１０・・・鮎釣用ベスト
１１・・・メインベルト
１３・・・釣具アタッチメント
１８・・・アタッチメント本体
１９・・・固定ベルト
２０・・・貫通孔
２７・・・一端
２８〜３９・・・所定位置
４０・・・他端
４１・・・第１ベルト保持部
４２・・・第２ベルト保持部
４３・・・釣具係止部
４４・・・貫通孔
５１・・・布ベルト
５２・・・布ベルト
５３・・・一端部
５４・・・他端部
５５・・・フックテープ
５６・・・ループテープ
５７・・・一端部
５８・・・フックテープ
５９・・・他端部
６０・・・ループテープ
６３・・・台座
７０・・・釣具アタッチメント
７１・・・固定ベルト
７５・・・釣具アタッチメント
７６・・・アタッチメント本体
７７・・・一端
７８〜９３・・・所定位置
９４・・・他端
９５・・・環状連結材
９６・・・梁材
１００・・・釣具アタッチメント
１０１・・・アタッチメント本体
１０２・・・一端
１０３〜１１１・・・所定位置
１１２・・・他端
１１３・・・第１ベルト保持部
１１４・・・第２ベルト保持部
１１５・・・釣具係止部
【図１】
2018082642.tif 000003
【図２】
2018082642.tif 000004
【図３】
2018082642.tif 000005
【図４】
2018082642.tif 000006
【図５】
2018082642.tif 000007
【図６】
2018082642.tif 000008
【図７】
2018082642.tif 000009
【図８】
2018082642.tif 000010
【図９】
2018082642.tif 000011
【図１０】
2018082642.tif 000012